(57)【要約】【課題】  メインドアの背面に突出部材が設けられている場合においても、商品補充やメンテナンスを円滑に行うことができる自動販売機を提供する。【解決手段】  商品を収納する販売機本体２の前面が回動式のメインドア３によって開閉され、このメインドア３の背面に、その幅方向に延びる軸線２５ｂを中心として、突出部材２４が回動自在に取り付けられている。また、保持機構２５によって、突出部材２４がメインドア３の背面から後方に突出する突出位置に保持されるとともに、突出部材２４の突出位置からの上方への回動が許容される。【選択図】  図４
2006243797.tif 000002
【特許請求の範囲】
【請求項１】
前面が開口し、商品を収納する販売機本体と、
当該販売機本体の幅方向の一端部に上下方向に延びる軸線を中心として回動自在に取り付けられ、前記販売機本体の前面を開閉するメインドアと、
当該メインドアの背面に、その幅方向に延びる軸線を中心として回動自在に取り付けられた突出部材と、
当該突出部材を、前記メインドアの背面から後方に突出する突出位置に保持するとともに、前記突出部材の前記突出位置からの上方への回動を許容する保持機構と、
を備えることを特徴とする自動販売機。
【請求項２】
前記販売機本体内には、商品を収納する商品収納室と、当該商品収納室の前面を開閉する回動自在の前面ドアとが設けられており、
前記突出部材は、前記前面ドアが開いている状態で前記メインドアを閉じたときに、前記前面ドアに当接することによって、当該前面ドアを閉じるように構成されていることを特徴とする、請求項１に記載の自動販売機。
【発明の詳細な説明】
【技術分野】
【０００１】
本発明は、自動販売機に関し、特に、販売機本体を開閉する回動式のメインドアの背面から後方に突出する突出部材を有する自動販売機に関する。
【背景技術】
【０００２】
本出願人は、このような自動販売機を、特願２００４−０２７９５０号（公開公報は未発行）においてすでに提案している。この自動販売機の販売機本体内には、商品を収納する商品収納室とその前面を開閉する回動式の前面ドアが設けられている。また、メインドアにも商品を収納する商品収納室とその背面を開閉する回動式の内ドアが設けられている。この内ドアの背面の上部には、板状のスペーサが固定されている。このスペーサは、内ドアの幅のほぼ全体にわたって水平に延びるとともに、後方に突出している。この構成により、前面ドアおよび／または内ドアが開いたままの状態でメインドアを閉じた際に、スペーサが前面ドアに当接することによって前面ドアを、また、その反力によって内ドアを閉じ、それにより、これらのドアを閉め忘れた場合に、確実に閉じられる。
【０００３】
このような自動販売機では、販売機本体の商品収納室への商品の補充や、販売機本体のメンテナンスが、メインドアを開き、これと販売機本体との間に作業者が入った状態で行われる。しかし、上述した自動販売機では、スペーサが内ドアの上部からその幅のほぼ全体にわたって延び、後方に突出しているので、例えば、商品補充時やメンテナンス時において、作業者が屈んだ状態から立ち上がったときに、作業者の頭部や肩がスペーサに当たる場合がある。その場合には、作業が妨げられ、商品補充やメンテナンスに支障をきたしてしまう。
【０００４】
本発明は、以上のような課題を解決するためになされたものであり、メインドアの背面に突出部材が設けられている場合においても、商品補充やメンテナンスを円滑に行うことができる自動販売機を提供することを目的とする。
【発明の開示】
【課題を解決するための手段】
【０００５】
上記の目的を達成するため、請求項１に係る自動販売機は、前面が開口し、商品を収納する販売機本体と、販売機本体の幅方向の一端部に上下方向に延びる軸線を中心として回動自在に取り付けられ、販売機本体の前面を開閉するメインドアと、メインドアの背面に、その幅方向に延びる軸線を中心として回動自在に取り付けられた突出部材と、突出部材を、メインドアの背面から後方に突出する突出位置に保持するとともに、突出部材の突出位置からの上方への回動を許容する保持機構と、を備えることを特徴とする。
【０００６】
この自動販売機によれば、販売機本体の前面が上下方向に延びる軸線を中心として回動するメインドアによって開閉されるとともに、このメインドアの背面に、その幅方向に延びる軸線を中心として、突出部材が回動自在に取り付けられている。また、通常時には、保持機構によって、突出部材が、メインドアの背面から後方に突出する突出位置に保持される。さらに、メインドアを開いた状態での商品補充やメンテナンスの作業中、例えば作業者が屈んだ状態から立ち上がった際に、その頭部などが突出部材に当たったときに、保持機構により、突出部材の上方への回動が許容されることによって、突出部材が上方に逃げる。したがって、作業が妨げられることなく、商品補充やメンテナンスを円滑に行うことができる。
【０００７】
請求項２に係る発明は、請求項１に記載の自動販売機において、販売機本体内には、商品を収納する商品収納室と、商品収納室の前面を開閉する回動自在の前面ドアとが設けられており、突出部材は、前面ドアが開いている状態でメインドアを閉じたときに、前面ドアに当接することによって、前面ドアを閉じるように構成されていることを特徴とする。
【０００８】
この構成によれば、商品収納室の前面を開閉する前面ドアが開いている状態でメインドアを閉じたときに、突出部材が前面ドアに当接することによって、前面ドアが閉じられる。これにより、前面ドアを閉め忘れた場合にも、これを確実に閉じることができる。また、このような突出部材が設けられている場合において、請求項１の効果を有効に得ることができる。
【発明を実施するための最良の形態】
【０００９】
以下、図面を参照しながら、本発明の一実施形態による自動販売機について説明する。図１は、本発明を適用した自動販売機１を示している。この自動販売機１は、たばこなどの箱型の商品を販売するものであり、前面が開口した販売機本体２と、この販売機本体２の前面を開閉するメインドア３とを備えている。
【００１０】
図２に示すように、販売機本体２は、鉄板などの複数の金属板を組み立てることによって形成された縦長ボックス状のものであり、その内部に、多数の商品を収納するとともに販売時に商品を１つずつ払い出す商品収納払出し装置４Ａが設けられている。
【００１１】
この商品収納払出し装置４Ａは、例えば左右に１２列、上下２段に形成された、上下方向に延びる商品コラム５Ａ（商品収納室）と、各商品コラム５Ａの下端部に設けられた商品払出し装置６Ａとを有している。各商品コラム５Ａは、前面が開口しており、商品が前方から補充される。また、各商品コラム５Ａ内には、多数の同一銘柄の商品が横倒しでかつ上下方向に積み重なった状態で収納されている。
【００１２】
さらに、商品収納払出し装置４Ａの前面には、左右方向の４つの商品コラム５Ａごとに、それらの前面を開閉する３つのコラムドア７、７、７（前面ドア）が設けられている。各コラムドア７は、透明なプラスチックなどによって縦長矩形状に形成されており、上側の商品コラム５Ａの上端と下側の商品払出装置６Ａの付近との間に上下方向に連続的に延びている。また、コラムドア７は、その左端部において、上下方向に延びる軸線を中心として回動自在になっている。さらに、コラムドア７には、上側の商品払出装置６Ａに対応する部分に、上側の商品コラム５Ａに収納された商品を前方へ払い出すための商品払出口７ａが形成されている。
【００１３】
また、商品収納払出し装置４Ａは、販売機本体２の前面に対して奥側に配置されており、それにより、商品収納払出し装置４Ａの前側にスペースが確保されている。さらに、販売機本体２内の商品収納払出し装置４Ａの下方には、払い出された商品を商品取出口１２に案内するためのシュート１３が設けられている。
【００１４】
前記メインドア３は、縦長矩形状の外ドア２１と、上述した商品収納払出し装置４Ａと同様に構成された商品収納払出し装置４Ｂと、商品収納払出し装置４Ｂの背面を開閉する内ドア２２（保持機構）とを有している。
【００１５】
外ドア２１は、販売機本体２の左前端部に、上下のヒンジ２１ａ（上側のみ図示）を介して回動自在に取り付けられている。これにより、外ドア２１、すなわちメインドア３は、上下方向に延びる軸線を中心として回動し、販売機本体２の前面を開閉する。また、外ドア２１の前面の上半部には、多数の商品サンプル３１を展示した商品ディスプレイ３２が、各商品サンプル３１の下方には商品選択ボタン３３が、設けられている。さらに、外ドア２１の前面の右端部には、紙幣挿入口３４、硬貨投入口３５、返却レバー３６および硬貨返却口３７が設けられ、下部には、前記商品取出口１２が設けられている。また、硬貨投入口３５の上方には、商品補充やメンテナンスを行う際に、メインドア３を開くための錠付きのドアレバー３８が設けられている。
【００１６】
上記商品収納払出し装置４Ｂは、外ドア２１の背面に、その上端部から商品取出口１２のすぐ上側の部分までの間に、左右方向の全体にわたって設けられている。また、商品収納払出し装置４Ｂは、例えば左右９列、上下２段の上下方向に延びる商品コラム５Ｂと、各商品コラム５Ｂの下端部に設けられた商品払出し装置６Ｂとを有している。各商品コラム５Ｂは、外ドア２１と反対側の面である背面が開口しており、多数の同一銘柄の商品が、販売機本体２側の商品コラム５Ａと同様に収納される。
【００１７】
前記内ドア２２は、商品収納払出し装置４Ｂの左端部に、ヒンジ（図示せず）を介して取り付けられている。また、内ドア２２は、閉じた状態では、商品収納払出し装置４Ｂの背面の上側の商品払出装置６Ｂよりも上側から下側の商品払出装置６Ｂのすぐ上側までの部分を覆っている。さらに、内ドア２２には、上側の商品払出し装置６Ｂに対応する部分に、商品払出口２２ａが形成されている。また、内ドア２２の上記ヒンジと反対側の右端部には、内ドア２２を外ドア２１に係止するための係止金具２３が取り付けられている。
【００１８】
以上の構成により、自動販売機１では、ユーザーによって商品が選択されると、その商品を収納する商品コラム５Ａ、５Ｂの最下位の商品が、商品払出装置６Ａ、６Ｂによって、前方または後方に払い出される。また、下側の商品コラム５Ａ、５Ｂから払い出された商品は、シュート１３上に落下した後、シュート１３によって商品取出口１２に案内される。一方、上側の商品コラム５Ａ、５Ｂから払い出された商品は、コラムドア７または内ドア２２に形成された商品払出口７ａ、２２ａを介して、コラムドア７と内ドア２２の間の空間に送られ、その後、この空間を通って、シュート１３上に落下し、商品取出口１２に案内される。このように、コラムドア７と内ドア２２の間の空間は、上側の商品コラム５Ａ、５Ｂからの商品を商品取出口１２に搬出する通路として機能する（以下、この空間を「搬出通路」という）。
【００１９】
また、内ドア２２の背面の上端部、すなわち商品払出口２２ａよりも上側の部分には、スペーサ２４（突出部材）がヒンジ２５（保持機構）を介して取り付けられている。このスペーサ２４は、内ドア２２の幅のほぼ全体にわたって延び、図３に示すように、細長い台形状の平面形状を有するスペーサ本体２４ａと、その底辺以外の外周面に貼り付けられた緩衝材２４ｂを有している。スペーサ本体２４ａは、鉄板などを折り曲げ加工することによって形成され、緩衝材２４ｂは、発泡ポリウレタンなどによって構成されている。
【００２０】
ヒンジ２５は、内ドア２２の背面の上端部に、幅方向に延びるように設けられている。具体的には、図４に示すように、ヒンジ２５の一方の羽２５ａが、その軸部２５ｂ（幅方向に延びる軸線）を上にして、内ドア２２の上端部に固定され、ヒンジ２５の他方の羽２５ｃに、スペーサ本体２４ａの上面の前端部が固定されている。これにより、スペーサ２４は、ヒンジ２５の軸部２５ｂを中心として、すなわち、内ドア２２の幅方向に延びる軸線を中心として、回動自在に内ドア２２に取り付けられている。
【００２１】
また、通常時には、図４（ａ）に示すように、スペーサ本体２４ａは、自重により軸部２５ｂを中心として同図の時計回りに回動させるモーメントが作用するとともに、その前面２４ｃがヒンジ２５の羽２５ａを介して内ドア２２に当接しており、それにより、スペーサ２４は後方に水平に突出する突出位置に保持される。この構成により、コラムドア７が開いたままの状態でメインドア３を閉じた際に、スペーサ２４がコラムドア７に当接することによって、コラムドア７を閉じることができる。また、内ドア２２が開いたままの状態でも、メインドア３を閉じる際に、コラムドア７からの反力がスペーサ２４を介して内ドア２２に作用することによって、内ドア２２が閉じられる。以上のように、これらのドア７，２２を閉め忘れた場合でも、スペーサ２４によって確実に閉じることができる。また、コラムドア７および内ドア２２が確実に閉じられることによって、これらのドア７、２２により形成される搬出通路を確保することができる。したがって、販売時に商品コラム５Ａ、５Ｂから払い出された商品を、この搬出通路内で引っかかったり、詰まったりすることなく、商品取出口１２に案内することができる。
【００２２】
さらに、緩衝材２４ｂによって、スペーサ２４がコラムドア７に当接した際の衝撃を緩和できるとともに、コラムドア７と内ドア２２との間隔の寸法誤差やスペーサ本体２４ａの寸法誤差などを吸収しながら、コラムドア７および内ドア２２の閉じ動作を確実に行うことができる。
【００２３】
また、突出位置に保持された状態から、スペーサ２４に上向きの外力が作用すると、図４（ｂ）に示すように、スペーサ２４は、ヒンジ２５の回動軸２５ｂを中心として、突出位置から上方に回動する。その後、この外力がなくなると、スペーサ２４は、自重により回動し、突出位置に復帰する。したがって、メインドア３を開いた状態での商品補充やメンテナンスの作業中、例えば作業者が屈んだ状態から立ち上がった際に、その頭部などがスペーサ２４に当たったときに、スペーサ２４が上方に回動する。このように、スペーサ２４が上方に逃げることによって、作業が妨げられることなく、商品補充やメンテナンスを円滑に行うことができる。
【００２４】
なお、本発明は、説明した実施形態に限定されることなく、種々の態様で実施することができる。例えば、実施形態は、突出部材として、コラムドア７および内ドア２２を確実に閉じるためのスペーサ２４を用いた例であるが、他の用途に用いられる突出部材に、本発明を適用することができる。また、実施形態では、突出部材が内ドア２２に取り付けられているが、内ドア２２がない場合には、突出部材がメインドアの背面に直接、取り付けられていてもよいことは、もちろんである。
【００２５】
さらに、実施形態では、保持機構を、ヒンジ２５や内ドア２２の背面によって構成し、スペーサ２４の前面２４ｃを内ドア２２に直接、当接させることによってスペーサ２４を突出位置に保持したが、例えば、スペーサ２４と内ドア２２の間に適当なストッパを設け、このストッパを介して、スペーサ２４を突出位置に保持するようにしてもよい。また、実施形態では、内ドア２２の背面、すなわちメインドア３の背面に突出部材が取り付けられているが、本発明はこれに限らず、突出部材が販売機本体の前面に取り付けられている場合にも、適用可能である。その他、本発明の趣旨の範囲内で、細部の構成を適宜、変更することが可能である。
【図面の簡単な説明】
【００２６】
【図１】本発明を適用した自動販売機の外観を示す斜視図である。
【図２】図１の自動販売機のメインドアを開いた状態を示す斜視図である。
【図３】スペーサの平面図である。
【図４】スペーサなどの側面図を、（ａ）突出位置に保持されている状態において、（ｂ）突出位置から上方に回動した状態において示す図である。
【符号の説明】
【００２７】
１  自動販売機
２  販売機本体
３  メインドア
５Ａ  商品コラム（商品収納室）
７  コラムドア（前面ドア）
２２  内ドア（保持機構）
２４  スペーサ（突出部材）
２５  ヒンジ（保持機構）
２５ｂ  軸部（幅方向に延びる軸線）
【図１】
2006243797.tif 000003
【図２】
2006243797.tif 000004
【図３】
2006243797.tif 000005
【図４】
2006243797.tif 000006